(57)【要約】【課題】他の端末との通信中に、利用者の意図に反して通信が終了した場合、宛先リストを用いて、終了した通信を再開させることを容易にする情報処理端末を提供する。【解決手段】情報処理端末は、ネットワークを介して複数の端末間でコンテンツデータの通信を行う通信システムで前記通信を行う情報処理端末であって、前記通信の宛先の候補となる端末を表す宛先リストを作成する作成部と、前記情報処理端末と前記通信を行う端末の情報を管理する管理部と、前記通信が異常終了した場合、前記管理部が管理する前記端末の情報を用いて、該端末を判別できるように、前記宛先リストを表示部に表示させる表示制御部と、を有する。【選択図】図６
2017211832.tif 000002
【特許請求の範囲】
【請求項１】
ネットワークを介して複数の端末間でコンテンツデータの通信を行う通信システムで前記通信を行う情報処理端末であって、
前記通信の宛先の候補となる端末を表す宛先リストを作成する作成部と、
前記情報処理端末と前記通信を行う端末の情報を管理する管理部と、
前記通信が異常終了した場合、前記管理部が管理する前記端末の情報を用いて、該端末を判別できるように、前記宛先リストを表示部に表示させる表示制御部と、
を有する情報処理端末。
【請求項２】
前記通信が利用者の終了操作により終了した場合、前記通信が正常終了したと判断し、前記通信が利用者の終了操作とは異なる要因により終了した場合、前記通信が異常終了したと判断する判断部を有する請求項１に記載の情報処理端末。
【請求項３】
前記表示制御部は、
前記通信が異常終了した場合、前記管理部が管理する前記端末の情報を用いて、該端末が前記通信の宛先として選択された前記宛先リストを前記表示部に表示させる請求項１又は２に記載の情報処理端末。
【請求項４】
前記通信が正常終了したか、異常終了したかに応じて、前記表示制御部が表示させる前記宛先リストにおいて、前記通信の宛先として選択されていることを示す表示要素を表示させる宛先を決定する決定部を有し、
前記表示制御部は、
前記表示部に表示させる前記宛先リストのうち、前記決定部が決定した宛先に前記表示要素を表示させる請求項１乃至３のいずれか一項に記載の情報処理端末。
【請求項５】
前記管理部は、
前記情報処理端末と前記通信を行う１つ以上の端末の情報を、優先度をつけて管理し、
前記決定部は、
前記通信が異常終了した場合、前記管理部が情報を管理する前記１つ以上の端末のうち、他の端末より前記優先度が高い一の端末に対応する宛先を、前記表示要素を表示させる宛先に決定する請求項４に記載の情報処理端末。
【請求項６】
前記通信は、複数の端末間で遠隔会議を行うセッションであり、
前記管理部は、
１つ以上の端末の識別情報と、該端末の優先度を示す情報と、該端末が前記セッションに参加しているか否かを示す情報とを対応付けて管理し、
前記決定部は、
前記通信が異常終了した場合、前記管理部が管理する情報を用いて、前記セッションに参加している端末のうち、他の端末より前記優先度が高い一の端末に対応する宛先を、前記表示要素を表示させる宛先に決定する請求項４に記載の情報処理端末。
【請求項７】
前記表示制御部は、
前記決定部により決定された宛先にフォーカスをあてて、前記宛先リストを表示させる請求項４乃至６のいずれか一項に記載の情報処理端末。
【請求項８】
前記通信システムを管理する管理装置から、前記通信の宛先の候補となる端末を示す候補端末情報、及び該端末の稼動状態を示す状態情報を受信する受信部を有し、
前記作成部は、
前記受信部が受信した前記候補端末情報及び前記状態情報を用いて、前記通信の宛先の候補となる端末の稼動状態を示す情報を含む前記宛先リストを作成する請求項１乃至７のいずれか一項に記載の情報処理端末。
【請求項９】
ネットワークを介して複数の端末間でコンテンツデータの通信を行う通信システムで前記通信を行う情報処理端末による情報処理方法であって、
前記通信の宛先の候補となる端末を表す宛先リストを作成するステップと、
前記情報処理端末と前記通信を行う端末の情報を管理するステップと、
前記通信が異常終了した場合、前記管理するステップで管理する前記端末の情報を用いて、該端末を判別できるように、前記宛先リストを表示部に表示させるステップと、
を含む情報処理方法。
【請求項１０】
ネットワークを介して複数の端末間でコンテンツデータの通信を行う通信システムで前記通信を行う情報処理端末に、
前記通信の宛先の候補となる端末を表す宛先リストを作成するステップと、
前記情報処理端末と前記通信を行う端末の情報を管理するステップと、
前記通信が異常終了した場合、前記管理するステップで管理する前記端末の情報を用いて、該端末を判別できるように、前記宛先リストを表示部に表示させるステップと、
を実行させるためのプログラム。
【発明の詳細な説明】
【技術分野】
【０００１】
本発明は、情報処理端末、情報処理方法、及びプログラムに関する。
【背景技術】
【０００２】
インターネット等の通信ネットワークを介して遠隔地との間で、遠隔会議を行う会議システムが普及している。
【０００３】
また、遠隔会議システムにおいて、端末に、通信の宛先の候補となる複数の端末の情報を宛先リストとして表示させ、宛先リストから宛先の端末を選択することにより、宛先の端末との通信の開始を容易にする技術が知られている（例えば、特許文献１参照）。
【０００４】
さらに、宛先の候補となる端末の状態に応じて宛先リストを表示させる遠隔会議システムにおいて、宛先リスト内の端末の状態が変化した場合、カーソルの移動の有無に応じて、宛先リストの表示方法を変更する技術が知られている（例えば、特許文献２参照）。
【発明の概要】
【発明が解決しようとする課題】
【０００５】
遠隔会議システムでは、ネットワークを介して通信が行われるので、例えば、ネットワーク等に何らかの問題が発生すると、通信が切断され、利用者の意図に反して遠隔会議が終了してしまう場合がある。
【０００６】
特許文献１、２に示される遠隔会議システムのように、宛先リストを用いて通信先の端末と通信を開始する通信システムでは、他の端末との通信中に、利用者の意図に反して通信が終了した場合、宛先リストを用いて、終了した通信を再開することには困難を伴う。
【０００７】
本発明の実施の形態は、上記問題点に鑑みてなされたものであって、他の端末との通信中に、利用者の意図に反して通信が終了した場合に、宛先リストを用いて、終了した通信を再開することを容易にする情報処理端末を提供することを目的とする。
【課題を解決するための手段】
【０００８】
上記課題を解決するため、本発明の一実施形態に係る情報処理端末は、ネットワークを介して複数の端末間でコンテンツデータの通信を行う通信システムで前記通信を行う情報処理端末であって、前記通信の宛先の候補となる端末を表す宛先リストを作成する作成部と、前記情報処理端末と前記通信を行う端末の情報を管理する管理部と、前記通信が異常終了した場合、前記管理部が管理する前記端末の情報を用いて、該端末を判別できるように、前記宛先リストを表示部に表示させる表示制御部と、を有する。
【発明の効果】
【０００９】
本発明の実施の形態によれば、他の端末との通信中に、利用者の意図に反して通信が終了した場合、宛先リストを用いて、終了した通信を再開させることを容易にする情報処理端末を提供することができる。
【図面の簡単な説明】
【００１０】
【図１】一実施形態に係る伝送システムの概略図である。
【図２】伝送システムにおける画像データ、音データ及び各種管理情報の送受信の状態を示した概念図である。
【図３】一実施形態に係る端末の一例の外観図である。
【図４】一実施形態に係る端末のハードウェア構成の例を示す図である。
【図５】一実施形態に係る管理システムのハードウェア構成の例を示す図である。
【図６】一実施形態に係る端末、及び管理システムの機能構成図である。
【図７】一実施形態に係る管理システムが管理する情報の例を示す図（１）である。
【図８】一実施形態に係る管理システムが管理する情報の例を示す図（２）である。
【図９】一実施形態に係る準備段階の処理の例を示すシーケンス図である。
【図１０】一実施形態に係る通信処理の例を示すシーケンス図である。
【図１１】第１の実施形態に係る通信開始までの処理の例を示すフローチャートである。
【図１２】第１の実施形態に係る宛先リストの表示処理の例を示すフローチャートである。
【図１３】第１の実施形態に係る端末の表示画面の例を示す図（１）である。
【図１４】第１の実施形態に係る端末の表示画面の例を示す図（２）である。
【図１５】第１の実施形態に係る端末が管理する通信情報の例を示す図である。
【図１６】第２の実施形態に係る管理部の処理の例を示すシーケンス図である。
【図１７】第２の実施形態に係る端末が管理する通信情報の例を示す図である。
【図１８】第２の実施形態に係る宛先リストの表示処理の例を示すフローチャートである。
【図１９】第２の実施形態に係る表示画面の例を示す図である。
【発明を実施するための形態】
【００１１】
以下、本発明における情報処理端末、情報処理方法及びプログラムの実施例を図面に基づいて説明する。
【００１２】
＜システム構成＞
初めに本実施形態に係る伝送システムのシステム構成について説明する。
【００１３】
図１は、一実施形態に係る伝送システムの概略図である。図２は、伝送システムにおける画像データ、音データ及び各種管理情報の送受信の状態を示した概念図である。
【００１４】
伝送システムには、伝送管理システムを介して一方の伝送端末から他方の伝送端末に一方向でコンテンツデータを伝送するデータ提供システムが含まれる。また、伝送システムには、伝送管理システムを介して複数の伝送端末間で情報を相互に伝達するコミュニケーションシステム等が含まれる。
【００１５】
このコミュニケーションシステムは、コミュニケーション管理システム（「伝送管理システム」に相当）を介して複数のコミュニケーション端末（「伝送端末」に相当）間で情報を相互に伝達するためのシステムである。コミュニケーションシステムの例としては、例えば、テレビ会議システム、テレビ電話システム、音声会議システム、音声電話システム、ＰＣ(Personal Computer)画面共有システム等の遠隔会議が挙げられる。
【００１６】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定する。なお、テレビ会議は、遠隔会議の一例である。
【００１７】
以下では、伝送システム１をテレビ会議システム、伝送管理システム５０をテレビ会議管理システム、及び伝送端末１０をテレビ会議端末として説明する。即ち、本実施形態に係る通信システムは、テレビ会議システムに適用されるだけでなく、コミュニケーションシステムや伝送システムなどにも適用される。
【００１８】
図１に示す伝送システム１は、複数の伝送端末（１０ａａ、１０ａｂ、・・・）、各伝送端末（１０ａａ、１０ａｂ、・・・）用のディスプレイ（１２０ａａ、１２０ａｂ、・・・）、複数の中継装置（３０ａ、３０ｂ、３０ｃ、３０ｄ、３０ｅ）、伝送管理システム５０、及びプログラム提供装置９０を含む。複数の伝送端末（１０ａａ、１０ａｂ、・・・）は、伝送端末間で映像データを送受信（通信）する。映像データには、例えば、動画データ又は静止画データ、音データ等が含まれる。
【００１９】
なお、以下の説明の中で、「伝送端末」を単に「端末」として表し、「伝送管理システム」を単に「管理システム」として表す。また、複数の端末（１０ａａ、１０ａｂ、・・・）のうち任意の端末を「端末１０」と表す。さらに、複数のディスプレイ（１２０ａａ、１２０ａｂ、・・・）のうち任意のディスプレイを「ディスプレイ１２０」と表し、複数の中継装置（３０ａ、３０ｂ、・・・）のうち任意の中継装置は「中継装置３０」と表す。さらにまた、通信の開始を要求する要求元としての端末を「要求元端末」と表し、要求先である宛先（中継先）としての端末は「宛先端末」と表す。
【００２０】
図２に示されているように、伝送システム１において、要求元端末と宛先端末との間では、管理システム５０を介して、各種の管理情報を送受信するための管理情報用セッションｓｅｉが確立される。また、要求元端末と宛先端末との間では、中継装置３０を介して、高解像度の画像データ、中解像度の画像データ、低解像度の画像データ、音データ等を送受信するための通信セッションが確立される。ここでは、通信セッションを、画像・音データ用のセッションｓｅｄとして示している。なお、図２に示す画像・音データ用のセッションｓｅｄの数は一例であり、画像・音データ用のセッションｓｅｄの数は、４つのセッション数より少ない又は多いセッション数であっても良い。
【００２１】
図１に戻り、伝送システム１のシステム構成の説明を続ける。
【００２２】
端末１０は、他の装置（端末）との間で、各種情報を送受信する。端末１０は、例えば、他の端末１０との間で通信セッションを確立し、確立した通信セッションにおいて、音データ、画像データ等を含むコンテンツデータの送受信による通信を行う。これにより、伝送システム１において、複数の端末１０間のテレビ会議が実現される。
【００２３】
以下、「画像データ及び音データ」を「コンテンツデータ」として表す。なお、端末１０間で伝送されるコンテンツデータは、本実施形態に限定されるものではない。他の例としては、コンテンツデータは、テキストデータであっても良く、また、他の例としては、コンテンツデータは、音データ、画像データに加えてテキストデータを含むものであっても良い。また、画像データは、動画であっても良く、静止画であっても良い。また、画像データは、動画と静止画の両方を含んでいても良い。
【００２４】
また、本実施形態に係る伝送システム１において、テレビ会議を開始する場合、開始を希望するユーザが、所定の端末１０を操作することにより、操作された端末１０は、開始要求情報を管理システム５０に送信する。
【００２５】
ここで、開始要求情報とは、テレビ会議に用いるセッションの開始を要求する情報であって、セッション相手としての端末１０を指定する情報を含む。
【００２６】
なお、宛先端末（セッション相手）は、１つの端末１０であってもよく、２以上の端末１０であっても良い。すなわち、伝送システム１においては、２つの端末１０間だけでなく、３つ以上の端末１０間で確立されたセッションを用いたテレビ会議を実現することができる。
【００２７】
さらに、本実施形態に係る伝送システム１においては、既にセッションが確立され、開始しているテレビ会議に、途中から他のユーザが参加することも可能である。参加を希望するユーザが、所定の端末１０を操作することにより、操作された端末１０は、参加を希望するテレビ会議に用いられている、確立中のセッション（以下、確立中セッションと称する）を指定した、参加要求情報を管理システム５０に送信する。なお、以下の説明の中で、参加要求情報を送信する端末１０を「参加要求端末」と表す。
【００２８】
管理システム５０は、端末１０及び中継装置３０を一元的に管理する。管理システム５０は、端末１０間での通信セッションを確立することにより、端末１０間における通信によるテレビ会議を実現する。
【００２９】
管理システム５０は、要求元端末から通信セッションの開始要求情報を受信した場合に、要求元端末と宛先端末の間の通信セッションを確立し、テレビ会議を開始させる。管理システム５０は、また、所定の端末１０から既に確立しているセッション（以下、確立中セッションと称する）への参加要求情報を受信した場合に、参加要求端末を、確立中セッションに参加させる。
【００３０】
また、図１に示されている複数のルータ（７０ａ、７０ｂ、７０ｃ、７０ｄ、７０ａｂ、７０ｃｄ）は、コンテンツデータの最適な経路の選択を行う。なお、実施例では、ルータ（７０ａ、７０ｂ、７０ｃ、７０ｄ、７０ａｂ、７０ｃｄ）のうち任意のルータを示す場合には「ルータ７０」を用いる。中継装置３０は、複数の端末１０の間で、コンテンツデータの中継を行う。
【００３１】
プログラム提供装置９０は、端末１０に各種機能又は各種手段を実現させるための端末用プログラムが記憶された、後述するＨＤ（Hard Disk）を備えており、端末１０に、端末用プログラムを送信することができる。
【００３２】
また、プログラム提供装置９０のＨＤには、中継装置３０に各種機能又は各種手段を実現させるための中継装置用プログラムも記憶されており、中継装置３０に、中継装置用プログラムを送信することができる。
【００３３】
さらに、プログラム提供装置９０のＨＤには、管理システム５０に各種機能又は各種手段を実現させるための伝送管理用プログラムも記憶されており、管理システム５０に、伝送管理用プログラムを送信することができる。
【００３４】
また、端末（１０ａａ、１０ａｂ、１０ａｃ、・・・）、中継装置３０ａ、及びルータ７０ａは、ＬＡＮ２ａによって通信可能に接続されている。端末（１０ｂａ、１０ｂｂ、１０ｂｃ、・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されていると共に、ＬＡＮ２ｂは大阪の事業所内で構築されている。
【００３５】
一方、端末（１０ｃａ、１０ｃｂ、１０ｃｃ、・・・）、中継装置３０ｃ、及びルータ７０ｃは、ＬＡＮ２ｃによって通信可能に接続されている。端末（１０ｄａ、１０ｄｂ、１０ｄｃ、・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されていると共に、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００３６】
また、管理システム５０、及びプログラム提供装置９０は、インターネット２ｉを介して、端末１０、及び中継装置３０と通信可能に接続されている。管理システム５０、及びプログラム提供装置９０は、地域Ａ又は地域Ｂに設置されていても良いし、これら以外の地域に設置されていても良い。
【００３７】
また、中継装置３０ｅは、通信ネットワーク２を介して端末１０と通信可能に接続されている。この中継装置３０ｅは、常時稼動しており、地域Ａ又は地域Ｂのローカルエリア内における通信量の影響を受けにくくするために、これら以外の地域に設置されている。
【００３８】
これにより、端末１０が他のローカルエリアに設置された端末と通信する場合に、コンテンツデータを中継するための中継装置として中継装置３０ｅが用いられる。また、同一のローカルエリアの端末間で通信を行う際に、このローカルエリアに設置された中継装置が稼動していない場合にも、緊急用の中継装置として中継装置３０ｅが用いられる。
【００３９】
なお、実施例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、通信ネットワーク２が構築されている。この通信ネットワーク２には、有線だけでなく無線による通信が行われる箇所があっても良い。
【００４０】
また、図１に示す例において、各端末１０、各中継装置３０、管理システム５０、各ルータ７０、及びプログラム提供装置９０の下に示されている４組の数字は、一般的なＩＰｖ４におけるＩＰアドレスを簡易的に示す。例えば、端末１０ａａのＩＰアドレスは「１．２．１．３」である。また、ＩＰｖ４ではなく、ＩＰｖ６を用いても良いが、説明を簡略化するため、ＩＰｖ４を用いて説明する。
【００４１】
＜ハードウェア構成＞
次に、本実施形態のハードウェアの構成を説明する。
【００４２】
（端末の外観）
図３は、一実施形態に係る端末の一例の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００４３】
図３に示されているように、端末１０は、筐体１１００、アーム１２００、及びカメラハウジング１３００を備える。このうち、筐体１１００の前側壁面１１１０には、複数の吸気孔によって形成された吸気面が設けられており、筐体１１００の後側壁面１１２０には、複数の排気孔が形成された排気面１１２１が設けられている。
【００４４】
これにより、筐体１１００に内蔵された冷却ファンの駆動によって、吸気面を介して端末１０の前方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、雑音等の音が収音可能となっている。
【００４５】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられている。また、操作パネル１１５０には、後述の内蔵型のスピーカ１１５からの出力音を通すための複数の音声出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための接続口が設けられている。
【００４６】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００４７】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図３では、チルト角θ１が９０度の状態を示している。
【００４８】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図３で示されている状態を０度として±１８０度のパン角θ２の範囲で、且つ、±４５度のチルト角θ３の範囲で、上下左右方向に回転可能に構成されている。
【００４９】
なお、他の例としては、端末１０は、一般の汎用コンピュータ、タブレット端末、スマートホン等の情報端末であっても良い。端末１０として用いる情報端末に、マイクやカメラが備わっていない場合には、外付けのマイク及びカメラをコンピュータに接続させることとする。これにより、情報端末を、本実施形態に係る端末１０として利用することができる。
【００５０】
また、端末１０として情報端末を用いる場合には、当該情報端末に後述する端末１０の処理を実行するためのアプリケーションをインストールしておくこととする。よって、端末１０は、図３に示す端末と一般の情報端末とを含めて情報処理端末とも称する。
【００５１】
なお、中継装置３０、管理システム５０、プログラム提供装置９０、及びメンテナンスシステム１００は、それぞれ一般のサーバ・コンピュータの外観と同じであるため、外観の説明を省略する。
【００５２】
（端末のハードウェア構成）
図４は、一実施形態に係る端末のハードウェア構成の例を示す図である。端末１０は、一般的なコンピュータの構成を含み、例えば、ＣＰＵ（Central Processing Unit)１０１、ＲＯＭ（Read Only Memory)１０２、ＲＡＭ(Random Access Memory)１０３、フラッシュメモリ１０４、及びＳＳＤ（Solid State Drive）１０５を有する。また、端末１０は、メディアドライブ１０７、操作ボタン１０８、電源スイッチ１０９、ネットワークＩ／Ｆ(Interface)１１１、カメラ１１２、撮像素子Ｉ／Ｆ１１３、マイク１１４、スピーカ１１５、及び音声入出力Ｉ／Ｆ１１６を有する。さらに、端末１０は、ディスプレイＩ／Ｆ１１７、外部機器接続Ｉ／Ｆ１１８、アラームランプ１１９、及びバス１１０等を有する。
【００５３】
ＣＰＵ１０１は、例えば、ＲＯＭ１０２や、フラッシュメモリ１０４等からプログラムやデータを読出し、処理を実行することで、端末１０が備える各機能を実現する演算装置である。ＲＯＭ１０２は、例えば、ＩＰＬ（Initial Program Loader）等のＣＰＵ１０１の起動に用いられるプログラム等を予め記憶した不揮発性のメモリである。ＲＡＭ１０３は、ＣＰＵ１０１のワークエリア等として利用される揮発性のメモリである。
【００５４】
フラッシュメモリ１０４は、例えば、ＯＳ（Operating System）、アプリケーションプログラム、及び各種のデータ等を記憶するストレージデバイスである。ＳＳＤ１０５は、ＣＰＵ１０１の制御に従ってフラッシュメモリ１０４に対する各種データの読み出し、書き込みを制御する。メディアドライブ１０７は、例えば、メモリカード等の記録メディア１０６に対するデータの読み出し又は書き込み（記憶）を制御する。
【００５５】
操作ボタン１０８は、端末１０の利用者の入力操作を受け付ける入力装置である。電源スイッチ１０９は、端末１０の電源のオン／オフを切り替えるためのスイッチである。ネットワークＩ／Ｆ１１１は、通信ネットワーク２を利用して通信するための通信インタフェースである。
【００５６】
カメラ１１２は、ＣＰＵ１０１の制御に従って被写体を撮像するための撮像装置である。撮像素子Ｉ／Ｆ１１３は、カメラ１１２による撮像を制御すると共に、撮像したデータを所定の画像データ（映像データ）に変換する。マイク１１４は、収音した音声を電気信号に変換する。スピーカ１１５は、音声信号を音声に変換して出力する。音声入出力Ｉ／Ｆ１１６は、マイク１１４及びスピーカ１１５による音声の入出力を制御する。
【００５７】
ディスプレイＩ／Ｆ１１７は、ＣＰＵ１０１の制御に従って、ディスプレイ１２０に画像データを伝送する。外部機器接続Ｉ／Ｆ１１８は、各種の外部機器を接続するためのインタフェースである。アラームランプ１１９は、端末１０の各種機能の異常を知らせる発光デバイスである。バス１１０は、上記の各構成に共通に接続され、アドレス信号、データ信号、及び各種の制御信号等を伝達する。
【００５８】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。
【００５９】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００６０】
外部機器接続Ｉ／Ｆ１１８には、図３に示されている筐体１１００の接続口１１３２に差し込まれたＵＳＢ(Universal Serial Bus)ケーブル等によって、外付けカメラ、外付けマイク、及び外付けスピーカ等の外部機器がそれぞれ電気的に接続可能である。
【００６１】
外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００６２】
なお、記録メディア１０６は、端末１０に対して着脱自在な構成となっている。また、ＣＰＵ１０１の制御に従ってデータの読み出し又は書き込みを行う不揮発性メモリであれば、フラッシュメモリ１０４に限らず、ＥＥＰＲＯＭ（Electrically Erasable and Programmable ROM）等を用いても良い。
【００６３】
さらに、上記の端末用プログラムは、インストール可能な形式又は実行可能な形式のファイルによって、コンピュータで読み取り可能な記録媒体（記録メディア１０６等）に記録されて流通されるようにしても良い。また、上記端末用プログラムは、フラッシュメモリ１０４ではなくＲＯＭ１０２に記憶させるようにしても良い。
【００６４】
（管理システムのハードウェア構成）
図５は、一実施形態に係る管理システムのハードウェア構成図である。管理システム５０は、一般的なコンピュータのハードウェア構成を有しており、例えば、ＣＰＵ２０１、ＲＯＭ２０２、ＲＡＭ２０３、ＨＤ２０４、ＨＤＤ（Hard Disk Drive）２０５、メディアドライブ２０７、及びディスプレイ２０８等を有する。また、管理システム５０は、ネットワークＩ／Ｆ２０９、キーボード２１１、マウス２１２、ＣＤ−ＲＯＭ（Compact Disc）ドライブ２１４、及びバス２１０等を有する。
【００６５】
ＣＰＵ２０１は、例えば、ＲＯＭ２０２、ＨＤ２０４等に格納されたプログラムやデータを読出し、処理を実行することにより、管理システム５０が備える各機能を実現する演算装置である。ＲＯＭ２０２は、例えば、ＩＰＬ等のＣＰＵ２０１の起動に用いられるプログラム等を予め記憶した不揮発性のメモリである。ＲＡＭ２０３は、ＣＰＵ２０１のワークエリア等として利用される揮発性のメモリである。
【００６６】
ＨＤ２０４は、例えば、ＯＳや、アプリケーションプログラム等のプログラムや、各種のデータを記憶するストレージデバイスである。ＨＤＤ２０５は、ＣＰＵ２０１の制御に従って、ＨＤ２０４に対する各種データの読み出し又は書き込みを制御する。ディスプレイ２０８は、例えば、カーソル、メニュー、ウィンドウ、文字、又は画像等の各種の情報を表示する表示装置である。
【００６７】
ネットワークＩ／Ｆ２０９は、通信ネットワーク２を利用してデータ通信を行うための通信インタフェースである。キーボード２１１は、利用者による文字、数値、各種指示などの入力操作を受け付けるための入力装置の一例である。マウス２１２は、利用者による各種指示の選択や実行、処理対象の選択、カーソルの移動等の操作を受け付けるポインティングデバイスの一例である。
【００６８】
メディアドライブ２０７は、例えば、メモリカード等の記録メディア２０６に対するデータの読み出しや、書き込み（記憶）を制御する。ＣＤ−ＲＯＭドライブ２１４は、着脱可能な記録媒体の一例としての各種のＣＤ−ＲＯＭ２１３に対するデータの読み出し又は書き込みを制御する。バス２１０は、上記の各構成要素を電気的に接続し、アドレス信号、データ信号、及び各種の制御信号等を伝達する。
【００６９】
なお、上記の管理システム５０のハードウェア構成はあくまで一例である。例えば、ディスプレイ２０８、キーボード２１１、マウス２１２等は、管理システム５０の外部に外付けされているものであっても良い。
【００７０】
また、上記の管理システム５０用のプログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。また、上記の管理システム５０用のプログラムは、ＨＤ２０４に記憶するものであっても良いし、予めＲＯＭ２０２に記憶されたもの等であっても良い。
【００７１】
また、中継装置３０は、上記管理システム５０と同様のハードウェア構成を有しているため、その説明を省略する。ただし、ＨＤ２０４には、中継装置３０を制御するための中継装置３０用のプログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７２】
さらに、プログラム提供装置９０は、上記管理システム５０と同様のハードウェア構成を有しているため、その説明を省略する。ただし、ＨＤ２０４には、プログラム提供装置９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしても良い。
【００７３】
なお、上記着脱可能な記録媒体の他の例として、ＣＤ−Ｒ（Compact Disc Recordable）、ＤＶＤ（Digital Versatile Disk）、ブルーレイディスク等のコンピュータで読み取り可能な記録媒体に記録して提供するように構成しても良い。
【００７４】
＜機能構成＞
図６は、一実施形態に係る端末、及び管理システムの機能構成図である。図６に示すように、端末１０、中継装置３０及び管理システム５０は、通信ネットワーク２を介して、互いに通信可能に接続されている。なお、図１に示したプログラム提供装置９０は、本実施形態に係る通信に直接関係しないため、図６では図示が省略されている。
【００７５】
《端末の機能構成》
端末１０は、送受信部１１、操作入力受付部１２、通信制御部１３、撮像部１４、音入力部１５、音出力部１６、表示制御部１７、作成部１８、管理部１９、判断部２０、決定部２１、及び記憶・読出部２２等を有する。上記の各部は、フラッシュメモリ１０４からＲＡＭ１０３上に展開された端末制御プログラムが、ＣＰＵ１０１で実行されることにより実現される機能である。また、端末１０は、ＲＡＭ１０３、フラッシュメモリ１０４等によって構成される記憶部１０００を有する。
【００７６】
送受信部１１は、例えば、図４に示されているＣＰＵ１０１で実行されるプログラム、及び図４に示されているネットワークＩ／Ｆ１１１等によって実現され、通信ネットワーク２を介して他の端末、装置又はシステムと各種データ、情報等の送受信を行う。例えば、送受信部１１は、管理システム（管理装置）５０から、通信の宛先の候補となる端末１０（以下、候補端末と呼ぶ）を示す候補端末情報、及び候補端末の稼動状態等を示す状態情報を受信する受信部として機能する。
【００７７】
本実施形態に係る送受信部１１は、宛先端末とテレビ会議を開始する前から、管理システム５０により、テレビ会議の接続先の候補としての各端末１０の状態を示す各状態情報の受信を開始する。状態情報は、各端末１０がオンラインかオフラインかの稼動状態を表すだけでなく、オンラインで通信可能であるか、オンラインで通信中であるか等の稼動状態を表しても良い。さらに、状態情報は、各端末１０が参加する通信セッションを識別する識別情報であるセッションＩＤ等を含んでいても良い。さらに、状態情報は、端末１０でケーブル１２０ｃが端末１０から外れていたり、音を出力するが画像は出力させなかったり、音を出力させないようにする（ＭＵＴＥ）等、様々な状態を表しても良い。
【００７８】
操作入力受付部１２は、例えば、図４に示されているＣＰＵ１０１で実行されるプログラム、及び図４に示されている操作ボタン１０８、電源スイッチ１０９等によって実現され、利用者による各種入力を受け付ける。例えば、利用者が、図４に示されている電源スイッチ１０９をオンにすると、図６に示されている操作入力受付部１２が電源オンを受け付けて、電源をオンに制御する。また、操作入力受付部１２は、宛先選択画面における宛先の選択操作等を、例えば、操作ボタン１０８の押下等により受け付ける。
【００７９】
通信制御部１３は、例えば、図４に示されているＣＰＵ１０１で実行されるプログラムによって実現される。通信制御部１３は、例えば、上記電源オンの受付を契機として、送受信部１１から通信ネットワーク２を介して管理システム５０に、ログインを要求する旨を示すログイン要求情報、及び要求元端末の現時点のＩＰアドレスを自動的に送信する。また、利用者が電源スイッチ１０９をオンの状態からオフにすると、送受信部１１が管理システム５０へ電源をオフする旨の状態情報を送信した後に、操作入力受付部１２が電源をオフにする。これにより、管理システム５０側では、端末１０が電源オンから電源オフになったことを把握することができる。
【００８０】
また、通信制御部１３は、中継装置３０を介して、他の端末１０とコンテンツデータの送受信を行う通信セッションの確立や、切断等、様々な通信制御を行う。
【００８１】
撮像部１４は、例えば、図４に示されているＣＰＵ１０１で実行されるプログラム、及び図４に示されているカメラ１１２、撮像素子Ｉ／Ｆ１１３等によって実現され、被写体を撮像して、この撮像して得た画像データを出力する。
【００８２】
音入力部１５は、例えば、図４に示されているＣＰＵ１０１で実行されるプログラム、及び図４に示されている音声入出力Ｉ／Ｆ１１６等によって実現され、マイク１１４によって利用者の音声が音声信号に変換された後、音声信号に係る音データを入力する。
【００８３】
音出力部１６は、例えば、図４に示されているＣＰＵ１０１で実行されるプログラム、及び図４に示されている音声入出力Ｉ／Ｆ１１６等によって実現され、音データに係る音声信号をスピーカに出力して、スピーカ１１５から音を出力させる。
【００８４】
表示制御部１７は、例えば、図４に示されているＣＰＵ１０１で実行されるプログラム、及び図４に示されているディスプレイＩ／Ｆ１１７等によって実現され、画像データをディスプレイ１２０に表示させる。例えば、表示制御部１７は、通信の宛先を選択するための宛先リストを、ディスプレイ１２０等の表示部に表示させる。
【００８５】
本実施形態に係る表示制御部１７は、後述する作成部１８、管理部１９、判断部２０等と協働して、宛先リストを表示部に表示させる。例えば、表示制御部１７は、判断部２０が、通信先との通信が異常終了したと判断した場合、管理部１９が管理する通信先の端末の情報を用いて、通信していた端末を判別できるように、作成部１８が作成した宛先リストを表示部に表示させる。なお、表示制御部１７による宛先リストの具体的な表示制御方法については後述する。
【００８６】
作成部１８は、例えば、図４に示されているＣＰＵ１０１で実行されるプログラムによって実現される。作成部１８は、送受信部１１が管理システム５０から受信する、前述した候補端末情報、及び状態情報を用いて、通信の宛先の候補となる端末１０を表す宛先リストの作成、及び更新等を行う。
【００８７】
好ましくは、宛先リストには、候補端末の情報（例えば、端末名、宛先名等）と、候補端末の稼動状態を示す情報等（例えば、候補端末の状態を示すアイコン等）が含まれる。
【００８８】
管理部１９は、例えば、図４に示されているＣＰＵ１０１で実行されるプログラムによって実現される。管理部１９は、端末１０と通信を行う他の端末１０の情報（例えば、端末を識別するための識別情報である端末ＩＤ等）を、記憶部１０００の通信情報１００１に記憶して、管理する。
【００８９】
好ましくは、管理部１９は、端末１０と通信を行う他の端末の端末ＩＤを、優先度をつけて管理する。これにより、端末１０が複数の端末と通信を行っている場合でも、他の端末より優先度が高い１つの端末を特定することができる。
【００９０】
好ましくは、管理部１９は、端末１０と通信を行う（又は行っていた）１つ以上の端末ＩＤと、各端末の優先度を示す情報と、端末１０が参加している（又は参加していた）遠隔会議のセッションを識別するセッションＩＤと、を対応付けて管理する。これにより、他のセッションに参加している端末等を除外して、他の端末より優先度が高い１つの端末を特定することができるようになる。
【００９１】
判断部２０は、例えば、図４に示されているＣＰＵ１０１で実行されるプログラムによって実現され、他の端末１０との通信が終了した場合、通信が正常終了したか、異常終了したかを判断する。
【００９２】
好ましくは、判断部２０は、端末１０の利用者の操作により通信が終了した場合、通信が正常終了したと判断する。また、判断部２０は、端末１０の利用者の操作とは異なる要因により通信場終了した場合、通信が異常終了したと判断する。なお、利用者の操作とは異なる要因には、例えば、通信ネットワーク２、通信先の端末１０、中継装置３０、ルータ７０、及び管理システム５０等による要因が含まれる。
【００９３】
また、別の一例として、判断部２０は、通信が終了されたときに、送受信部１１、又は通信制御部１３から通知される切断理由等に基づいて、通信が正常終了したか、異常終了したかを判断するもの等であっても良い。例えば、判断部２０は、通信制御部１３（又は送受信部１１）から通知される切断理由が正常切断である場合（又は切断理由がない場合）、正常終了と判断するものであっても良い。また、判断部２０は、通信制御部１３（又は送受信部１１）から通知される切断理由が、正常切断以外の切断理由を含む場合（例えば、通信品質劣化、タイマタイムアウト等）、異常終了と判断するもの等であっても良い。
【００９４】
決定部２１は、例えば、図４に示されているＣＰＵ１０１で実行されるプログラムによって実現される。決定部２１は、例えば、他の端末との通信が正常終了したか、異常終了したかに応じて、表示制御部１７が表示させる宛先リストにおいて、通信の宛先として選択されていることを示す表示要素を表示させる宛先を決定する。例えば、決定部２１は、他の端末１０との通信が終了したときに、他の端末との通信が正常終了したか、異常終了したかに応じて、表示制御部１７が表示させる宛先リストにおいて、どの宛先にフォーカスをあてるかを決定する。
【００９５】
なお、フォーカスとは、例えば、コンピュータ等の操作画面で、表示要素等が選択され、入力可能な状態にあることを示す。本実施形態では、フォーカスをあてるとは、表示制御部１７が表示させる宛先リストにおいて、通信の宛先として選択されている宛先を、例えば、太枠、反転表示、カーソル等の表示要素により、判別可能に表示することを示す。従って、端末１０は、利用者による通信の開始を指示する発信操作を受け付けると、宛先リストにおいて、フォーカスがあてられている宛先への発信処理を開始する。なお、フォーカスは、宛先リストにおいて、１つの端末が、通信の宛先として選択されていることを判別できるように表示する方法の一例である。
【００９６】
記憶・読出部２２は、図４に示されているＣＰＵ１０１で実行されるプログラム、及び図４に示されているＳＳＤ１０５等によって実現され、記憶部１０００に対する各種データの記憶、記憶部１０００に記憶された各種データを読出等の処理を行う。
【００９７】
記憶部１０００は、例えば、図４のフラッシュメモリ１０４、ＲＡＭ１０３、及び図４のＣＰＵ１０１で実行されるプログラム等によって実現され、例えば、端末１０の識別するための識別情報（端末ＩＤ）、パスワード等の情報を記憶する。
【００９８】
また、記憶部１０００は、宛先端末とテレビ会議を行う際に受信される画像データ及び音データの受信バッファ等としても用いられる。
【００９９】
《管理システムの機能構成》
管理システム（管理装置）５０は、送受信部５１、認証部５２、状態管理部５３、端末抽出部５４、端末状態取得部５５、セッション管理部５６、及び記憶・読出部５７等を有する。これら各部は、ＨＤ２０４からＲＡＭ２０３上に展開された伝送管理用プログラムを、ＣＰＵ２０１が実行することによって実現される機能である。また、管理システム５０は、ＨＤ２０４等により構成される記憶部５０００を有する。
【０１００】
ここで、管理システム５０が、記憶部５０００に記憶して管理する情報について説明する。図７、８は、一実施形態に係る管理システムが管理する情報の例を示す図である。
【０１０１】
（認証管理テーブル）
図７（ａ）は、認証管理テーブルの一例を示している。記憶部５０００には、例えば、図７（ａ）に示すような認証管理テーブル７０１を含む認証管理ＤＢ５００２が構築されている。認証管理テーブル７０１では、管理システム５０によって管理される各端末１０を識別する識別情報である端末ＩＤに対して、各パスワードが関連付けられて管理される。例えば、図７（ａ）に示した認証管理テーブル７０１は、端末ＩＤ「０１ａａ」に対応するパスワードが「ａａａａ」であることを示している。
【０１０２】
（宛先リスト管理テーブル）
図７（ｂ）は、宛先リスト管理テーブルの一例を示している。記憶部５０００には、例えば、図７（ｂ）に示すような宛先リスト管理テーブル７０２を含む宛先リスト管理ＤＢ５００４が構築されている。宛先リスト管理テーブル７０２では、要求元端末の端末ＩＤである要求元端末ＩＤと、宛先端末の端末ＩＤである宛先端末ＩＤとが対応付けられて管理されている。ここで、要求元端末とはテレビ会議に利用される通信の開始を要求する要求情報の要求元の端末１０である。また、宛先端末とは、要求元端末が要求情報の宛先とすることのできる端末１０であり、宛先の候補として登録されている端末である。
【０１０３】
例えば、図７（ｂ）の例では、端末ＩＤが「０１ａａ」である端末１０からテレビ会議の開始を要求することのできる宛先端末は、端末ＩＤが「０１ａｂ」、「０１ｂａ」、「０１ｄｂ」、「０１ｄｃ」、「０１ｃａ」、「０１ｃｂ」の端末１０であることが示されている。宛先端末の候補は、例えば、端末１０から管理システム５０に対してなされる要求に応じて、追加又は削除される。
【０１０４】
（端末管理テーブル）
図８（ａ）は、端末管理テーブルの一例を示す図である。記憶部５０００には、例えば、図８（ａ）に示すような端末管理テーブル８０１を含む端末管理ＤＢ５００３が構築されている。
【０１０５】
端末管理テーブル８０１では、各端末１０の端末ＩＤ毎に、各端末１０の宛先名（以下、「端末名」と呼ぶ）と、各端末１０の稼動状態と、受信日時と、端末１０のＩＰアドレスとが関連付けられて管理されている。受信日時は、伝送システム１にログインするためのログイン要求情報を管理システム５０が受信した日時である。
【０１０６】
例えば、図８（ａ）に示した端末管理テーブル８０１は、端末ＩＤが「０１ａａ」の端末１０に対して、端末名が「日本  東京事業所  ＡＡ端末」で、稼動状態が「オンライン（通信中）」で、管理システム５０でログイン要求情報が受信された日時が「２０ｘｘ年１１月１０日の１３時４０分」で、端末１０のＩＰアドレスが「１．２．１．３」であることを表している。
【０１０７】
ここで、端末管理テーブル８０１の端末ＩＤは、端末１０が伝送システム１に登録されるときに、ユニークに割り当てられ、端末名は、管理システム５０の管理者によって登録又は変更される。なお、端末名は、端末１０から管理システム５０に対してなされる要求に応じて、登録又は変更されても良い。
【０１０８】
また、稼動状態が「オンライン（通信可能）」とは、端末１０が伝送システム１にログインした状態で、テレビ会議に参加していない状態であることを表す。「オンライン（通信中）」とは、端末１０が伝送システム１にログインした状態で、テレビ会議に参加している状態であることを表す。音データ状態が「オフライン」とは、端末１０が伝送システム１にログインしていない状態であることを表す。
【０１０９】
（セッション管理テーブル）
管理システム５０の記憶部５０００に記憶されたセッション管理ＤＢ５００５には、例えば、図８（ｂ）に示されているようなセッション管理テーブル８０２が含まれる。セッション管理テーブル８０２には、通信セッションの識別情報であるセッションＩＤ毎に、中継装置３０を識別する識別情報である中継装置ＩＤ、要求元端末ＩＤ、宛先端末ＩＤ、及び参加端末ＩＤ等の情報が記憶されている。
【０１１０】
なお、要求元端末ＩＤは、テレビ会議等の通信セッションの開始を要求する要求元端末の端末ＩＤであり、宛先端末ＩＤは、宛先端末の端末ＩＤである。また、参加端末ＩＤは、開催中のテレビ会議等の通信セッション（確立中セッション）に参加を要求する１つ以上の参加要求端末の端末ＩＤである。
【０１１１】
例えば、図８（ｂ）に示されているセッション管理テーブル８０２において、セッションＩＤ「ｓｅ１」のセッションには、端末ＩＤ「０１ａａ」の端末、端末ＩＤ「０１ｄｂ」の端末、及び端末ＩＤ「０１ｄｂ」の端末が参加していることが示されている。
【０１１２】
ここで、図６に戻り、管理システム５０の機能構成の説明を続ける。
【０１１３】
送受信部５１は、例えば、図５のネットワークＩ／Ｆ２０９、及び図５のＣＰＵ２０１で実行されるプログラム等によって実現され、通信ネットワーク２を介して他の端末１０又は装置３０、９０と各種データや情報の送受信を行う。
【０１１４】
送受信部５１は、要求元端末に対して、要求元端末に対応する宛先端末ＩＤのリスト（以下、宛先リスト情報と呼ぶ）と、宛先リスト情報に含まれる各端末の稼動状態を示す状態情報とを送信する。また、送受信部５１は、宛先候補としての端末の稼動状態が変更された場合には、その都度、最新の状態情報を要求元端末に送信する。
【０１１５】
認証部５２は、例えば、図５のＣＰＵ２０１で実行されるプログラムによって実現される。認証部５２は、送受信部５１を介して受信されたログイン要求情報に含まれている端末ＩＤ及びパスワードを検索キーとして、記憶部５０００の認証管理ＤＢ５００２に含まれる認証管理テーブル７０１を検索する。また、認証部５２は、認証管理ＤＢ５００２に、ログイン要求情報に含まれている端末ＩＤ及びパスワードが管理されているかを判断することによって端末１０の認証を行う。
【０１１６】
状態管理部５３は、例えば、図５のＣＰＵ２０１で実行されるプログラムによって実現される。状態管理部５３は、ログイン要求してきた要求元端末の稼動状態を管理する。状態管理部５３は、例えば、要求元端末の端末ＩＤに対して、稼動状態、管理システム５０でログイン要求情報が受信された受信日時及びＩＰアドレスを関連付けて端末管理ＤＢ５００３に含まれる端末管理テーブル８０１に記憶して、管理する。例えば、利用者が端末１０の電源スイッチ１０９の状態をオンからオフにする。このとき、状態管理部５３は、端末１０から送られてきた、電源をオフする旨の状態情報に基づいて、端末管理テーブル８０１における端末１０の稼動状態をオンラインからオフラインに変更する。
【０１１７】
端末抽出部５４は、例えば、図５のＣＰＵ２０１で実行されるプログラムによって実現される。端末抽出部５４は、ログイン要求した要求元端末の端末ＩＤを検索キーとして、宛先リスト管理ＤＢ５００４に含まれる宛先リスト管理テーブル７０２を検索し、要求元端末に対する宛先端末の候補の端末ＩＤを抽出する。
【０１１８】
また、端末抽出部５４は、ログイン要求してきた要求元端末の端末ＩＤを検索キーとして、宛先リスト管理テーブル７０２を検索し、要求元端末の端末ＩＤを宛先端末の候補として登録している他の要求元端末の端末ＩＤも抽出する。
【０１１９】
端末状態取得部５５は、例えば、図５のＣＰＵ２０１で実行されるプログラムによって実現される。端末状態取得部５５は、端末抽出部５４によって抽出された宛先端末の候補の端末ＩＤを検索キーとして、端末管理ＤＢ５００３に含まれる端末管理テーブル８０１を検索し、検出された端末ＩＤ毎に稼動状態を読み出す。
【０１２０】
これにより、端末状態取得部５５は、ログイン要求してきた要求元端末に対する宛先端末の候補の稼動状態を取得することができる。また、端末状態取得部５５は、端末抽出部５４によって抽出された端末ＩＤを検索キーとして、端末管理ＤＢ５００３を検索し、ログイン要求してきた要求元端末の稼動状態も取得する。
【０１２１】
セッション管理部５６は、例えば、図５のＣＰＵ２０１で実行されるプログラムによって実現され、管理システム５０で開催されるテレビ会議（遠隔会議の一例）が開催される通信セッションを管理する。例えば、セッション管理部５６は、通信セッションを開始する際に、通信セッションを識別するための識別情報であるセッションＩＤを生成する。また、セッション管理部５６は、生成したセッションＩＤに対応付けて、通信セッションに参加する端末１０の端末ＩＤ、中継装置３０の中継装置ＩＤ等の情報を、セッション管理ＤＢ５００５に含まれるセッション管理テーブル８０２に記憶して、管理する。
【０１２２】
記憶・読出部５７は、例えば、図５のＨＤＤ２０５、及び図５のＣＰＵ２０１で実行されるプログラム等によって実現され、記憶部５０００に対する各種データを記憶、及び記憶部５０００に記憶された各種データの読出等を実行する。
【０１２３】
（中継装置）
中継装置３０は、複数の端末間で開催されるテレビ会議において、端末間で行われるコンテンツデータの送受信を中継する。例えば、中継装置３０は、管理システム５０から通知されるセッションＩＤに基づいて、同じセッションＩＤを有する端末１０を、同じセッションに参加させる。これにより、同じセッションＩＤを有する端末１０間で、中継装置３０を介して、コンテンツデータの送受信を行うことができるようになる。
【０１２４】
＜伝送システムの処理の流れ＞
続いて、伝送システム（通信システム）１による通信処理の流れについて説明する。
【０１２５】
（準備段階の処理）
図９は、一実施形態に係る準備段階の処理の例を示すシーケンス図である。この処理は、伝送システム１において、端末１０ａａが、テレビ会議に参加可能な準備状態になるまでの準備段階の処理の例を示している。
【０１２６】
なお、図９において、例えば、図２で説明した管理情報用セッションｓｅｉを用いて、各情報の送受信が行われるものとする。また、図９において、端末１０ａａの端末ＩＤが「０１ａａ」、端末１０ｂａの端末ＩＤが「０１ｂａ」、端末１０ｄｂの端末ＩＤが「０１ｄｂ」であるものとして、以下の説明を行う。
【０１２７】
ステップＳ２１で、端末１０ａａの利用者が、端末１０ａａの電源スイッチ１０９をオンにすると、操作入力受付部１２が電源オンを受け付けて、端末１０ａａの電源をオンに制御する。
【０１２８】
ステップＳ２２で、通信制御部１３は、電源オンの受付を契機として、端末１０ａａの送受信部１１から通信ネットワーク２を介して管理システム５０にログインを要求するログイン要求情報を送信する。このログイン要求情報には、ログイン要求元の端末１０ａａを識別するための要求元端末ＩＤ及びパスワードが含まれている。この要求元端末ＩＤ及びパスワードは、記憶・読出部２２を介して、記憶部１０００から読み出される。
【０１２９】
なお、端末１０ａａから送信されたログイン要求情報が管理システム５０に受信されたときには、管理システム５０は、送信側である端末１０ａａのＩＰアドレスを把握することができる。
【０１３０】
ステップＳ２３で、管理システム５０の認証部５２は、送受信部５１を介して受信したログイン要求情報に含まれている端末ＩＤ及びパスワードを検索キーとして、端末認証を行う。認証部５２は、記憶部５０００の認証管理ＤＢ５００２に含まれる認証管理テーブル７０１を検索し、認証管理ＤＢ５００２に検索キーと同一の端末ＩＤ及びパスワードが管理されているかを判断することによって端末認証を行う。
【０１３１】
ここで、認証部５２によって、検索キーと同一の端末ＩＤ及びパスワードが管理されていないと判断された場合、すなわち、正当な利用権限を有する端末１０からのログイン要求でないと判断されたとする。このとき、送受信部５１は、認証部５２によって得られた認証結果を表す認証結果情報をログイン要求してきた端末１０ａａに通信ネットワーク２を介して送信し、準備段階の動作は終了する。
【０１３２】
一方、認証部５２によって、検索キーと同一の端末ＩＤ及びパスワードが管理されていると判断された場合、すなわち、正当な利用権限を有する端末１０からのログイン要求であると判断されたとする。このとき、ステップＳ２４において、状態管理部５３は、端末管理ＤＢ５００３含まれる端末管理テーブル８０１に、端末１０ａａの端末ＩＤ、端末１０ａａのＩＰアドレス、稼動状態、受信日時などを関連付けて記憶する。
【０１３３】
これにより、端末管理テーブル８０１は、端末ＩＤ「０１ａａ」、端末１０ａａのＩＰアドレス「１．２．１．３」、稼動状態「オンライン（通信中）」、受信日時「２０ｘｘ．１１．１０  １３：４０（年／月／日  時間）」を関連付けて管理することができる。なお、端末管理テーブル８０１には、端末ＩＤ、ＩＰアドレスなどが予め関連付けられており、稼動状態、受信日時及び参加者がその都度関連付けられるようにしても良い。
【０１３４】
ステップＳ２５で、管理システム５０の送受信部５１は、認証部５２によって得られた認証結果を表す認証結果情報をログイン要求してきた端末１０ａａに通信ネットワーク２を介して送信する。
【０１３５】
ステップＳ２６で、管理システム５０の端末抽出部５４は、端末１０ａａの端末ＩＤ「０１ａａ」を検索キーとして、宛先リスト管理ＤＢ５００４に含まれる宛先リスト管理テーブル７０２を検索し、端末１０ａａに対する宛先端末の候補の端末ＩＤを抽出する。
【０１３６】
ここでは、端末１０ａａの端末ＩＤ「０１ａａ」に対する宛先端末である端末１０ａｂ、１０ｂａ、１０ｄｂ、１０ｄｃ、１０ｃａ、１０ｃｂのそれぞれの端末ＩＤ「０１ａｂ」、「０１ｂａ」、「０１ｄｂ」、「０１ｄｃ」、「０１ｃａ」、「０１ｃｂ」が抽出される。
【０１３７】
ステップＳ２７で、管理システム５０の端末状態取得部５５は、端末抽出部５４によって抽出された宛先端末の候補の端末ＩＤ「０１ａｂ」、「０１ｂａ」、「０１ｄｂ」、「０１ｄｃ」、「０１ｃａ」、「０１ｃｂ」を検索キーとする。端末状態取得部５５は、検索キーを用いて端末管理ＤＢ５００３に含まれる端末管理テーブル８０１を検索し、端末抽出部５４によって抽出された端末ＩＤ毎に稼動状態「オフライン」、「オンライン（通信可能）」、「オンライン（通信中）」を読み出す。これにより、端末１０ａｂ、１０ｂａ、１０ｄｂ、１０ｄｃ、１０ｃａ、１０ｃｂの各稼動状態が取得できる。なお、端末状態取得部５５は、端末管理ＤＢ５００３を監視し、端末の稼動状態が変わる度に、各稼動状態を取得する。
【０１３８】
ステップＳ２８で、管理システム５０の送受信部５１は、通信ネットワーク２を介して端末１０ａａに宛先状態情報を送信する。この宛先状態情報には、例えば、ステップＳ２７で使用された検索キーとしての端末ＩＤ「０１ａｂ」、「０１ｂａ」、「０１ｄｂ」、「０１ｄｃ」、「０１ｃａ」、「０１ｃｂ」、各端末１０の稼動状態を示す状態情報等が含まれる。
【０１３９】
これにより、端末１０ａａは、宛先端末の候補である端末１０ａｂ、１０ｂａ、１０ｄｂ、１０ｄｃ、１０ｃａ、１０ｃｂの現時点のそれぞれの稼動状態「オフライン」、「オンライン（通信可能）」、「オンライン（通信中）」を把握することができる。
【０１４０】
ステップＳ２９で、管理システム５０の端末抽出部５４は、ログイン要求してきた端末１０ａａの端末ＩＤ「０１ａａ」を検索キーとする。端末抽出部５４は、検索キーを用いて宛先リスト管理ＤＢ５００４に含まれる宛先リスト管理テーブル７０２を検索し、端末１０ａａの端末ＩＤ「０１ａａ」を宛先端末の候補として登録している他の端末の端末ＩＤを抽出する。例えば、図７（ｂ）に示した宛先リスト管理テーブルでは、抽出される端末ＩＤは、「０１ａｂ」、「０１ｂａ」、「０１ｄｂ」である。
【０１４１】
ステップＳ３０で、管理システム５０の状態管理部５３は、ログイン要求してきた端末１０ａａの端末ＩＤ「０１ａａ」を検索キーとする。状態管理部５３は、検索キーを用いて端末管理ＤＢ５００３に含まれる端末管理テーブル８０１を検索し、ログイン要求してきた端末１０ａａの稼動状態「オンライン（通信可能）」を取得する。
【０１４２】
ステップＳ３１−１，Ｓ３１−２で、管理システム５０の送受信部５１は、ステップＳ２９で抽出された端末ＩＤのうち、例えば、図８（ａ）に示す端末管理テーブル８０１で、稼動状態がオンラインとなっている端末ＩＤを抽出する。また、送受信部５１は、特定された端末ＩＤに対応する端末１０（例えば、端末１０ｂａ、端末１０ｄｂ）に、要求元端末（端末１０ａａ）の端末ＩＤと、稼動状態「オンライン（通信可能）」とを含む状態情報を送信する。
【０１４３】
なお、端末１０ｂａ、１０ｄｂに状態情報を送信するときには、送受信部５１は、各端末ＩＤ「０１ｂａ」、「０１ｄｂ」に基づいて、端末管理テーブル８０１で管理されている各端末のＩＰアドレスを参照する。
【０１４４】
これにより、ログイン要求してきた端末１０ａａを宛先端末として指定して伝送することができる端末１０ｄｂ、１０ｂａに、ログイン要求してきた端末１０ａａの端末ＩＤ「０１ａａ」及び稼動状態「オンライン（通信中）」を伝えることができる。
【０１４５】
また、準備段階動作のステップＳ２８が完了したときに、端末１０ａａの表示制御部１７は、ディスプレイ１２０に表示させた宛先リストの情報から、テレビ会議に参加中の端末、すなわち、稼動状態が「オンライン（通信中）」や「オンライン（通信可能）」である端末１０ｄｂの情報をディスプレイ１２０に強調表示させる等しても良い。これにより、テレビ会議に参加している端末１０又は参加可能な端末１０を利用者に認識させることができる。
【０１４６】
（通信処理）
図１０は、一実施形態に係る通信処理の例を示すシーケンス図である。この処理は、端末１０ａａから、端末１０ｄｂに対してテレビ会議等の通信の開始を要求し、コンテンツデータ（画像データ、音データ等）を通信する処理の例を示している。なお、図１０において、図２に示されている管理情報用セッションｓｅｉによって、各端末１０と管理システム５０との間で各種管理情報が送受信されるものとする。
【０１４７】
ステップＳ１００１において、端末１０ａａの操作入力受付部１２は、利用者による宛先端末（端末１０ｄｂ）の選択操作を受付する。
【０１４８】
ステップＳ１００２において、端末１０ａａの通信制御部１３は、操作入力受付部１２が受付した宛先端末の選択操作に応じて、管理システム５０に通信セッションの開始を要求する開始要求情報を送信する。この開始要求情報には、例えば、要求元端末である端末１０ａａの端末ＩＤである要求元端末ＩＤ、宛先端末である端末１０ｄｂの端末ＩＤである宛先端末ＩＤ等が含まれる。また、開始要求情報には、端末１０ａａのＩＰアドレス（要求元ＩＰアドレス）も含まれる。
【０１４９】
ステップＳ１００３において、端末１０ａａから開始要求情報を受信した管理システム５０の状態管理部５３は、開始要求情報に含まれる要求元端末ＩＤに基づいて、端末管理ＤＢ５００３に含まれる端末管理テーブル８０１を更新する。例えば、状態管理部５３は、端末１０ａａの端末ＩＤ「０１ａａ」に対応する稼動状態の情報を「オンライン（通信中）」に変更し、受信日時の情報を更新する。
【０１５０】
ステップＳ１００４において、管理システム５０のセッション管理部５６は、宛先端末である端末１０ｄｂにセッションの開始を要求する開始要求情報を送信する。この開始要求情報には、例えば、要求元端末である端末１０ａａの要求元端末ＩＤ等が含まれる。
【０１５１】
ステップＳ１００５において、管理システム５０から開始要求情報を受信した端末１０ｄｂは、例えば、端末１０ｄｂの利用者による応答操作等に応じて、管理システム５０に受信完了情報を送信する。この受信完了情報には、例えば、端末１０ｄｂの端末ＩＤである宛先端末ＩＤが含まれる。なお、受信完了情報は、端末１０ｄｂによって自動的に送信されるもの等であっても良い。
【０１５２】
ステップＳ１００６において、端末１０ｄｂから受信完了情報を受信した管理システム５０の状態管理部５３は、受信完了情報に含まれる端末１０ｄｂの端末ＩＤに基づいて、端末管理ＤＢ５００３に含まれる端末管理テーブル８０１を更新する。例えば、状態管理部５３は、端末１０ｄｂの端末ＩＤ「０１ｄｂ」に対応する稼動状態の情報を「オンライン（通信中）」に変更し、受信日時の情報を更新する。
【０１５３】
ステップＳ１００７において、管理システム５０のセッション管理部５６は、通信セッションを識別するための識別情報であるセッションＩＤを作成する。また、セッション管理部５６は、作成されたセッションＩＤに対応付けて、中継装置３０の中継装置ＩＤ、要求元端末ＩＤ、及び宛先端末ＩＤを、セッション管理ＤＢ５００５に含まれるセッション管理テーブル８０２に記憶する。
【０１５４】
ステップＳ１００８おいて、管理システム５０のセッション管理部５６は、中継装置３０に、通信セッションの中継の開始を要求する中継開始要求情報を送信する。この中継開始要求情報には、例えば、ステップＳ１００７で作成されたセッションＩＤ、及び要求元端末のＩＰアドレス、宛先端末のＩＰアドレス等が含まれる。
【０１５５】
ステップＳ１００９、Ｓ１０１０において、管理システム５０のセッション管理部５６は、端末１０ａａ、１０ｄｂにセッションの開始を指示する開始指示情報を送信する。この開始指示情報には、例えば、ステップＳ１００７で作成されたセッションＩＤ、及び中継装置３０のＩＰアドレス等が含まれる。
【０１５６】
ステップＳ１０１１において、端末１０ａａの通信制御部１３は、管理システム５０から受信した開始指示情報を用いて、中継装置３０と通信セッション（セッションｓｅｄ）を確立する。
【０１５７】
ステップＳ１０１２において、端末１０ｄｂの通信制御部１３は、管理システム５０から受信した開始指示情報を用いて、中継装置３０と通信セッション（セッションｓｅｄ）を確立する。
【０１５８】
上記の処理により、端末１０ａａ、１０ｄｂは、中継装置３０を介して、同じ通信セッションに参加し、コンテンツデータを互いに伝送することができるようになる、すなわち、テレビ会議を行うことができるようになる。
【０１５９】
ステップＳ１０１３、Ｓ１０１４において、管理システム５０の状態管理部５３は、端末１０の状態が変更されたことを通知する端末状態変更情報を、端末管理ＤＢ５００３に登録されている各端末１０に送信する。図１０の例では、端末状態変更情報には、端末状態が変更された端末１０ａａ、１０ｄｂの端末ＩＤ、及び端末１０ａａ、１０ｄｂの稼動状態を示す状態情報等が含まれる。なお、状態情報には、各端末１０が参加しているセッションのセッションＩＤ等が含まれていても良い。
【０１６０】
＜端末の処理の流れ＞
続いて、本実施形態に係る端末１０による情報処理方法の流れについて説明する。
【０１６１】
［第１の実施形態］
（通信開始までの処理）
図１１は、第１の実施形態に係る通信開始までの処理の例を示すフローチャートである。この処理は、端末１０が、他の要求元端末からの開始要求情報を受信し（以下、着信と呼ぶ）、通信を開始するまでの処理の例を示している。
【０１６２】
ステップＳ１１０１において、端末１０の送受信部（受信部の一例）１１は、管理システム５０から送信される、通信の宛先の候補となる端末を示す候補端末情報、及び各端末の稼動状態を示す状態情報等の情報を受信する。
【０１６３】
ステップＳ１１０２において、端末１０の作成部１８は、受信された候補端末情報、及び状態情報を用いて、通信の宛先の候補となる端末を表す宛先リストを作成する。
【０１６４】
ステップＳ１０３で、表示制御部１７は、利用者が通信の宛先となる端末１０を選択するための宛先選択画面に、作成部１８が作成した宛先リストを表示させる。このとき、表示部の宛先選択画面に表示される宛先リストの例を図１３（ａ）に示す。
【０１６５】
図１３（ａ）に示す宛先リスト１３０１には、宛先の端末を選択するための複数の選択ボタン１３１１が表示されている。また、各選択ボタン１３１１には、状態情報を反映させたアイコン１３１２ａ〜１３１２ｃ、宛先端末の端末ＩＤ１３１３、端末名１３１４等が含まれる。
【０１６６】
アイコンには、例えば、オンラインで通信可能であることを示す通信可能アイコン１３１２ａ、オンラインで通信中であることを示す通信中アイコン１３１２ｂ、及びオフラインで通信できないことを示すオフラインアイコン１３１２ｃ等がある。作成部１８は、宛先端末の稼動状態が「オンライン（通信可能）」である場合には、この宛先端末に対し、通信可能アイコン１３１２ａを割り当てる。また、作成部１８は、宛先端末の稼動状態が「オンライン（通信中）」である場合には、この宛先端末に対し、通信中アイコン１３１２ｂを割り当てる。さらに、作成部１８は、宛先端末の稼動状態が「オフライン」である場合には、この宛先端末に対し、オフラインアイコン１３１２ｃを割り当てる。
【０１６７】
また、図１３（ａ）に示す宛先リストでは、例えば、１番上に表示されている端末ＩＤ「０１ｂａ」の端末１０ｂａの選択ボタン１３１１にフォーカスがあてられており、端末１０ｂａの選択ボタン１３１１が、太枠（表示要素の一例）で表示されている。このように、既定の状態で表示される宛先リストを、以下の説明の中で「既定の宛先リスト」と呼ぶ。一例として、既定の宛先リストでは、複数の選択ボタン１３１１のうち、例えば、１番上に表示されている選択ボタン１３１１にフォーカスがあてられている。ただし、これはあくまで一例であり、既定の宛先リストにおいて、フォーカスがあてられている選択ボタン１３１１の位置は、他の位置であっても良い。
【０１６８】
図１１に戻り、フローチャートの説明を続ける。
【０１６９】
ステップＳ１１０４において、例えば、端末１０の通信制御部１３が、開始要求情報の受信等により着信を検知すると、端末１０は、ステップＳ１１０５以降の処理を実行する。
【０１７０】
ステップＳ１１０５において、端末１０の表示制御部１７は、通信制御部１３等からの着信の通知に基づいて、例えば、図１３（ｂ）に示すような着信画面１３０２を、ディスプレイ１２０等の表示部に表示させる。
【０１７１】
図１３（ｂ）の例では、着信画面１３０２には、着信があることを示すポップアップ１３２１が表示されている。また、ポップアップ１３２１には、例えば、着信があることを示すメッセージ、要求元端末の端末ＩＤ及び端末名、応答ボタン１３２２、拒否ボタン１３２３等が含まれる。図１３（ｂ）に示す着信画面１３０２において、端末１０の利用者は、応答ボタン１３２２を選択することにより、要求元端末からの着信に応答する応答操作を行うことができる。また、端末１０の利用者は、拒否ボタン１３２３を選択することにより、要求元端末からの着信を拒否する拒否操作を行うことができる。
【０１７２】
ステップＳ１１０６、Ｓ１１０７において、端末１０の操作入力受付部１２が、図１３（ｂ）に示すような着信画面１３０２において、応答操作を受け付けると、端末１０は、処理をステップＳ１１０８に移行させる。
【０１７３】
一方、端末１０の操作入力受付部１２が、図１３（ｂ）に示すような着信画面１３０２において、拒否操作を受け付けると、端末１０は、図１１の処理を終了させる。
【０１７４】
ステップＳ１１０８に移行すると、端末１０の通信制御部１３は、例えば、図１０のステップＳ１００５に示すように、受信完了情報を管理システム５０に送信し、要求元端末との通信を開始する。このとき、端末１０に表示される通信中の表示画面の例を、図１４（ａ）に示す。
【０１７５】
図１４（ａ）の例では、端末１０の通信中の表示画面１４０１には、通信先の要求元端末の撮像部１４で撮像された会議画像１４１１が表示されている。このとき、通信先の要求端末には、例えば、端末１０の撮像部１４で撮像された会議画像が表示されている。これにより、端末１０と、通信先の要求元端末との間でテレビ会議を行うことができる。
【０１７６】
ステップＳ１１０９において、端末１０の管理部１９は、端末１０と通信を行う要求元端末の情報（例えば、端末ＩＤ）を、記憶部１０００の通信情報１００１に記憶して、管理する。このとき、管理部１９が管理する通信情報１００１の例を図１５に示す。
【０１７７】
図１５は、第１の実施形態に係る端末が管理する通信情報の例を示す図である。図１５の例では、通信情報１００１には、「優先度」、及び「端末ＩＤ」の情報が含まれる。
【０１７８】
「端末ＩＤ」は、端末１０と通信する他の端末（要求元端末）の端末ＩＤである。
【０１７９】
「優先度」は、通信中の他の端末が複数ある場合に、各端末ＩＤの優先度を示す情報であり、優先度の値が小さい程、優先度が高いものとする。なお、本実施形態では、「優先度」の情報は必須ではない。
【０１８０】
例えば、通信情報１００１が「優先度」の情報を含まない場合、管理部１９は、例えば、図１１のステップＳ１１０４で着信を検知した要求元端末の端末ＩＤを、通信情報１００１に記憶して、管理する。
【０１８１】
また、通信情報１００１が「優先度」の情報を含む場合、管理部１９は、例えば、図１１のステップＳ１１０４で着信を検知した要求元端末の端末ＩＤを、優先度「１」として管理する。また、管理部１９は、要求元端末と通信中のセッションに、他の端末１０が参加した場合、後から参加した端末１０の端末ＩＤを、優先度「２」以降に、順次に追加する。
【０１８２】
（宛先リストの表示処理）
図１２は、第１の実施形態に係る宛先リストの表示処理の例を示すフローチャートである。図１２に示す処理は、図１１に示す処理により、端末１０が通信を開始した後に、通信が終了したときに実行される宛先リストの表示処理の例を示している。
【０１８３】
ステップＳ１２０１において、要求元端末との通信が終了すると、例えば、端末１０の通信制御部１３から、判断部２０に、通信が終了したことが通知される。
【０１８４】
ステップＳ１２０２において、端末１０の判断部２０は、通信が正常終了したか、異常終了したかを判断する。
【０１８５】
例えば、判断部２０は、端末１０の利用者の終了操作により通信が終了した場合、通信が正常終了したと判断し、端末１０の利用者の終了操作とは異なる要因により終了した場合、通信が異常終了したと判断する。なお、端末１０の利用者の終了操作とは異なる要因には、例えば、通信ネットワーク２側の要因による切断等、利用者が意図しない終了要因が含まれる。
【０１８６】
また、別の一例として、判断部２０は、通信が終了（切断）されたときに、通信制御部１３から通知される切断理由等に基づいて、通信が正常終了したか、異常終了したかを判断するもの等であっても良い。例えば、送受信部１１、又は通信制御部１３から通知される切断理由が正常切断である場合、又は切断理由が含まれない場合、正常終了と判断し、正常切断以外の切断理由を含む場合、異常終了と判断するもの等であっても良い。
【０１８７】
判断部２０により、正常終了したと判断された場合、端末１０の決定部２１は、処理をステップＳ１２０３に移行させる。一方、判断部２０により、正常終了ではない、すなわち、異常終了したと判断された場合、端末１０の決定部２１は、処理をステップＳ１２０４に移行させる。
【０１８８】
ステップＳ１２０３に移行すると、端末１０の表示制御部１７は、図１１のステップＳ１１０３と同様に、例えば、図１３（ａ）に示すような既定の宛先リストを、宛先選択画面に表示させる。
【０１８９】
ステップＳ１２０４に移行すると、端末１０の決定部２１は、記憶部１０００に記憶した、例えば、図１５に示すような通信情報１００１を用いて、宛先リストでフォーカスをあてる端末１０（端末ＩＤ）を決定する。
【０１９０】
図１５の例では、決定部２１は、図１１のステップＳ１１０９で記憶した、要求元端末（要求元端末ＩＤ）が、宛先リストでフォーカスをあてる端末１０に決定する。また、通信情報１００１に複数の端末１０（端末ＩＤ）が含まれる場合、決定部２１は、通信情報１００１に記憶された複数の端末１０のうち、他の端末より優先度が高い１つの端末１０を、宛先リストでフォーカスをあてる端末１０に決定する。
【０１９１】
また、端末１０の表示制御部は、決定部２１によって決定された端末１０にフォーカスをあてた宛先リストを、宛先選択画面に表示させる。このとき、端末１０の宛先選択画面に表示される宛先リストの例を図１４（ｂ）に示す。
【０１９２】
図１４（ｂ）は、異常終了後、すなわち、利用者が意図せずに通信が終了した後に、端末１０の宛先選択画面に表示される宛先リスト１４０２の例を示している。図１４（ｂ）の例では、管理部１９が、通信情報１００１に記憶した端末ＩＤ「０１ｄｂ」に対応する選択ボタン１４２１にフォーカスをあてた宛先リスト１４０２が、端末１０の表示部の宛先選択画面に表示されている。
【０１９３】
図１４（ｂ）に示す宛先リスト１４０２では、テレビ会議を行っていた要求元端末である端末ＩＤ「０１ｄｂ」の端末１０ｄｂに再接続するための選択ボタン１４２１にフォーカスがあてられている。従って、端末１０の利用者は、テレビ会議に再接続するときに、発信操作（例えば、操作ボタン１０８の押下）を行うだけで、容易にテレビ会議を再開することができるようになる。
【０１９４】
一方、従来の技術では、例えば、図１３（ａ）に示すような既定の宛先リスト１３０１が表示されるので、利用者は、テレビ会議を再開するために、テレビ会議を行っていた要求元端末（例えば、端末ＩＤ「０１ｄｂ」）を探し出し、選択する必要がある。
【０１９５】
しかし、特に要求元端末からの着信により、テレビ会議を開始したとき等、端末１０の利用者は、拠点名までは判っていても、通信先の端末名までは記憶していない場合がある。このような場合、利用者が、例えば、図１４（ａ）に示すような既定の宛先リスト１３０１を用いて、テレビ会議を再開させることは困難である。
【０１９６】
例えば、図１３（ａ）の例では、説明を容易にするため、宛先端末の数を４つとしているが、宛先端末が多い場合、利用者は、画面をスクロールさせて、テレビ会議をしていた端末１０を探し出し、選択する必要がある。従って、利用者が、要求元端末と同じ拠点の他の端末１０に誤って発信してしまうという問題や、他の通信手段により、端末名を確認しなければならない等の問題がある。
【０１９７】
しかし、本実施形態に係る端末１０によれば、テレビ会議を行っていた要求元端末にフォーカスをあてた宛先リスト１４０２が自動的に表示されるので、テレビ会議を再開させることが容易になる。
【０１９８】
以上、本実施形態に係る端末（情報処理端末）１０によれば、他の端末１０との通信中に、利用者の意図に反して通信が終了した場合に、宛先リストを用いて、終了した通信を再開することを容易にすることができる。
【０１９９】
また、本実施形態によれば、通信が正常終了したときには、端末１０の宛先選択画面には、既定の宛先リストが表示される。これは、利用者が意図してテレビ会議を終了させた場合、すぐに、同じ端末１０にテレビ会議を再接続するといる利用シーンが少ないためである。これにより、通常の利用時には、利用者は、作成部１８が作成した既定の宛先リストを用いて、宛先を選択することができるようになる。
【０２００】
［第２の実施形態］
第１の実施形態では、端末１０の管理部１９が、通信の要求元端末の情報（例えば、端末ＩＤ、優先度等）を、通信情報１００１に記憶して管理する場合の例について説明した。
【０２０１】
第２の実施形態では、端末１０の管理部１９が、テレビ会議を開催する通信セッションに参加する１つ以上の端末１０の情報（例えば、端末ＩＤ、優先度、会議参加中フラグ等）を、通信情報１００１に記憶して管理する場合の例について説明する。
【０２０２】
（管理部の処理）
図１６は、第２の実施形態に係る管理部の処理の例を示すシーケンス図である。この処理は、伝送システム１で開催されるテレビ会議等の通信セッションに、複数の端末１０が参加、退出したときの、端末１０ａａにおける管理部１９の処理の例を示している。なお、伝送システム１における通信処理の流れは、図１０と同様なので、ここでは、通信処理の詳細な説明は省略する。
【０２０３】
ステップＳ１６０１において、要求元端末である端末１０ｄｂの通信制御部１３は、操作入力受付部１２が受付した宛先端末の選択操作に応じて、管理システム５０に通信セッションの開始を要求する開始要求情報を送信する。なお、ここでは、宛先端末が、端末１０ａａであるものとする。
【０２０４】
ステップＳ１６０２において、管理システム５０のセッション管理部５６は、宛先端末である端末１０ａａにセッションの開始を要求する開始要求情報を送信する。この開始要求情報には、例えば、要求元端末である端末１０ｄｂの要求元端末ＩＤ等が含まれる。
【０２０５】
ステップＳ１６０３において、管理システム５０から開始要求情報を受信した端末１０ａａは、例えば、端末１０ａａの利用者による応答操作等に応じて、管理システム５０に受信完了情報を送信する。
【０２０６】
ステップＳ１６０４おいて、管理システム５０のセッション管理部５６は、中継装置３０に、通信セッションの中継の開始を要求する中継開始要求情報を送信する。この中継開始要求情報には、例えば、セッションＩＤ、要求元端末のＩＰアドレス、宛先端末のＩＰアドレス等が含まれる。
【０２０７】
ステップＳ１６０５、Ｓ１６０６において、管理システム５０のセッション管理部５６は、端末１０ａａ、１０ｄｂにセッションの開始を指示する開始指示情報を送信する。この開始指示情報には、セッションＩＤ、及び中継装置３０のＩＰアドレス等が含まれる。
【０２０８】
ステップＳ１６０７において、端末１０ａａの通信制御部１３は、管理システム５０から受信した開始指示情報を用いて、中継装置３０と通信セッションを確立する。
【０２０９】
ステップＳ１６０８において、端末１０ｄｂの通信制御部１３は、管理システム５０から受信した開始指示情報を用いて、中継装置３０と通信セッションを確立する。
【０２１０】
上記の処理により、端末１０ｄｂ、１０ａａは、中継装置３０を介して、同じ通信セッションに参加し、コンテンツデータを互いに伝送することができるようになる、すなわち、テレビ会議を行うことができるようになる。
【０２１１】
ステップＳ１６０９において、端末１０ａａの管理部１９は、記憶部１０００に記憶した通信情報に、要求元端末である端末１０ｄｂの情報を追加する。このとき、端末１０ａａの管理部１９によって管理される通信情報の例を図１７（ａ）に示す。
【０２１２】
図１７（ａ）は、図１６のステップＳ１６０９において、端末１０ａａの管理部１９が、記憶部１０００に記憶した通信情報１７０１の例を示している。図１７（ａ）に示されるように、本実施形態に係る通信情報１７０１は、例えば、図１５に示す第１の実施形態に係る通信情報１００１に加えて、「会議参加中」の情報を含む。
【０２１３】
「会議参加中」の情報は、例えば、端末１０ａａが参加しているテレビ会議（通信セッション）に、各端末１０が参加しているか否かを示すフラグ情報である。例えば、図１７（ａ）に示す通信情報１７０１において、端末ＩＤ「０１ｄｂ」に対応する「会議参加中」の情報が「○」となっている。この場合、端末ＩＤ「０１ｄｂ」に対応する端末１０ｄｂが、端末１０ａａと同じテレビ会議（通信セッション）に参加していることを示している。
【０２１４】
続いて、図１６に示すシーケンス図において、端末１０ｄｃが、端末１０ａａ、端末１０ｄｂと同じテレビ会議（開催中セッション）に参加する場合の処理について説明を行う。
【０２１５】
ステップＳ１６１０において、参加要求端末である端末１０ｄｃの通信制御部１３は、操作入力受付部１２が受付した宛先端末の選択操作に応じて、開催中セッションへの参加を要求する参加要求情報を、管理システム５０に送信する。
【０２１６】
ステップＳ１６１１において、管理システム５０のセッション管理部５６は、端末１０ｄｃからの参加要求情報を、セッションに参加している端末１０ａａに送信する。この参加要求情報には、例えば、参加要求端末である端末１０ｄｃの端末ＩＤ、セッションＩＤ等が含まれる。これにより、端末１０ａａは、端末１０ｄｃが、開催中セッションに参加することを認識することができる。
【０２１７】
ステップＳ１６１２において、端末１０ａａの管理部１９は、記憶部１０００に記憶した通信情報に、参加要求端末である端末１０ｄｃの情報を追加する。このとき、端末１０ａａの管理部１９によって管理される通信情報の例を図１７（ｂ）に示す。
【０２１８】
図１７（ｂ）に示す通信情報１７０２には、要求元端末である端末１０ｄｂの端末ＩＤ「０１ｄｂ」より低い優先度で、参加要求端末である端末１０ｄｃの端末ＩＤである「０１ｄｃ」が追加されている。このように、端末１０ａａの管理部１９は、参加要求端末の優先度を、要求元端末の優先度より低く管理することが望ましい。
【０２１９】
また、通信情報１７０２には、端末１０ａａと同じ通信セッションに参加している端末１０ｄｂ、及び端末１０ｄｃの端末ＩＤに対応する「会議参加中」情報が「○」、すなわち、端末１０ａａと同じ通信セッションに参加中として管理されている。
【０２２０】
ステップＳ１６１３において、管理システム５０のセッション管理部５６は、中継装置３０に、通信セッションに新たな参加要求端末が参加することを要求する中継参加要求情報を送信する。この中継参加要求情報には、例えば、セッションＩＤ、参加要求端末のＩＰアドレス等が含まれる。
【０２２１】
ステップＳ１６１４において、管理システム５０のセッション管理部５６は、参加要求端末である端末１０ｄｃにセッションへの参加を指示する参加指示情報を送信する。この参加指示情報には、セッションＩＤ、及び中継装置３０のＩＰアドレス等が含まれる。
【０２２２】
ステップＳ１６１５において、端末１０ｄｃの通信制御部１３は、管理システム５０から受信した参加指示情報を用いて、中継装置３０と通信セッションを確立する。
【０２２３】
上記の処理により、端末１０ｄｂ、１０ａａ、及び端末１０ｄｃは、中継装置３０を介して、同じ通信セッションに参加し、コンテンツデータを互いに伝送することができるようになる、すなわち、テレビ会議を行うことができるようになる。例えば、端末１０ａａが送信したコンテンツデータは、中継装置３０を介して、端末１０ｄｂ、及び端末１０ｄｃに転送される。同様に、端末１０ｄｂが送信したコンテンツデータは、中継装置３０を介して、端末１０ａａ、及び端末１０ｄｃに転送される。
【０２２４】
続いて、図１６にシーケンス図において、要求元端末１０ｄｂが、テレビ会議（通信セッション）から退出する場合の処理の例について説明する。
【０２２５】
ステップＳ１６１６において、要求元端末である端末１０ｄｂの利用者が、テレビ会議からの退出操作（終了操作）を行うと、端末１０ｄｂは、テレビ会議からの退出を要求する退出要求情報を、管理システム５０に送信する。
【０２２６】
ステップＳ１６１７において、管理システム５０のセッション管理部５６は、端末１０ｄｂからの退出要求情報を、セッションに参加している端末１０ａａに送信する。この退出要求情報には、例えば、端末１０ｄｂの端末ＩＤ、セッションＩＤ等が含まれる。これにより、端末１０ａａは、端末１０ｄｂが、開催中セッションから退出することを認識することができる。
【０２２７】
ステップＳ１６１８において、端末１０ａａの管理部１９は、記憶部１０００に記憶した通信情報において、開催中セッションを退出した端末１０ｄｂに対応する「会議参加中」情報を更新する。このとき、端末１０ａａの管理部１９によって管理される通信情報の例を図１７（ｃ）に示す。
【０２２８】
図１７（ｃ）に示す通信情報１７０３には、要求元端末である端末１０ｄｂの端末ＩＤ「０１ｄｂ」と、参加要求端末である端末１０ｄｃの端末ＩＤである「０１ｄｃ」が記憶されている。また、開催中セッションから退出する端末１０ｄｂの端末ＩＤ「０１ｄｂ」に対応する「会議開催中」の情報から、端末１０ａａと同じ通信セッションに参加中であることを示すフラグ「○」が削除されている。これにより、端末１０ａａが、端末１０ａａと同じ通信セッションに、既に参加していないことを特定することができる。
【０２２９】
ステップＳ１６１９において、管理システム５０のセッション管理部５６は、中継装置３０に、通信セッションから、端末１０ｄｂが退出することを示す中継退出情報を送信する。
【０２３０】
ステップＳ１６２０において、管理システム５０のセッション管理部５６は、退出を要求した端末１０ｄｂに通信セッションからの退出を指示する退出指示情報を送信する。
【０２３１】
ステップＳ１６２１において、端末１０ｄｂは、通信セッションを終了する。
【０２３２】
さらに、開催中セッションから退出した端末１０ｄｂが、再び、開催中セッションに参加する場合の処理の例について説明する。
【０２３３】
ステップＳ１６２２において、端末１０ｄｂの通信制御部１３は、操作入力受付部１２が受付した宛先端末の選択操作に応じて、開催中セッションへの参加を要求する参加要求情報を、管理システム５０に送信する。
【０２３４】
ステップＳ１６２３において、管理システム５０のセッション管理部５６は、端末１０ｄｂからの参加要求情報を、セッションに参加している端末１０ａａに送信する。この参加要求情報には、例えば、参加要求端末である端末１０ｄｂの端末ＩＤ、セッションＩＤ等が含まれる。これにより、端末１０ａａは、端末１０ｄｂが、開催中セッションに参加することを認識することができる。
【０２３５】
ステップＳ１６２４において、端末１０ａａの管理部１９は、記憶部１０００に記憶した通信情報を更新する。例えば、端末１０ａａの管理部１９は、図１７（ｃ）に示すような通信情報１７０３において、開催中セッションに復帰した端末１０ｄｂの端末ＩＤ「０１ｄｂ」に対応する「会議参加中」のフラグを「○」に更新する。これにより、端末１０ａａの管理部１９が管理する通信情報は、図１７（ｂ）に示すような通信情報１７０２となる。
【０２３６】
ステップＳ１６２５において、管理システム５０のセッション管理部５６は、中継装置３０に、通信セッションに端末１０ｄｂが参加することを要求する中継参加要求情報を送信する。
【０２３７】
ステップＳ１６２６において、管理システム５０のセッション管理部５６は、端末１０ｄｂにセッションへの参加を指示する参加指示情報を送信する。
【０２３８】
ステップＳ１６２７において、端末１０ｄｂの通信制御部１３は、管理システム５０から受信した参加指示情報を用いて、中継装置３０と通信セッションを確立する。
【０２３９】
上記の処理により、端末１０ｄｂ、１０ａａ、及び端末１０ｄｃは、中継装置３０を介して、再び同じ通信セッションに参加し、コンテンツデータを互いに伝送することができるようになる、すなわち、テレビ会議を行うことができるようになる。
【０２４０】
（宛先リストの表示処理）
図１８は、第２の実施形態に係る宛先リストの表示処理の例を示すフローチャートである。図１８に示す処理は、図１６に示す処理により、端末１０ａａが通信を開始した後に、通信が終了したときに実行される宛先リストの表示処理の例を示している。なお、基本的な処理は、図１２に示す第１の実施形態に係る宛先リストの表示処理と同様なので、ここでは、第１の実施形態との相違点を中心に説明を行う。
【０２４１】
ステップＳ１８０１において、端末１０ａａの通信が終了すると、例えば、端末１０ａａの通信制御部１３から、判断部２０に、通信が終了したことが通知される。
【０２４２】
ステップＳ１８０２において、端末１０ａａの判断部２０は、通信が正常終了したか、異常終了したかを判断する。
【０２４３】
判断部２０により、正常終了したと判断された場合、端末１０ａａの決定部２１は、処理をステップＳ１８０３に移行させる。一方、判断部２０により、正常終了ではない、すなわち、異常終了したと判断された場合、端末１０ａａの決定部２１は、処理をステップＳ１８０４に移行させる。
【０２４４】
ステップＳ１８０３に移行すると、端末１０ａａの表示制御部１７は、図１２のステップＳ１２０３と同様に、例えば、図１３（ａ）に示すような既定の宛先リストを、宛先選択画面に表示させる。
【０２４５】
ステップＳ１８０４に移行すると、端末１０ａａの決定部２１は、管理部１９が管理する、例えば、図１７（ａ）〜（ｃ）に示すような通信情報を用いて、宛先リストでフォーカスをあてる端末１０（端末ＩＤ）を決定する。例えば、端末１０ａａの決定部２１は、図１７に示すような通信情報を用いて、端末１０ａａと同じ通信セッションに参加している端末のうち、他の端末より優先度が高い１つの端末に対応する宛先を、宛先リストでフォーカスをあてる端末１０に決定する。
【０２４６】
例えば、端末１０ａａの管理部１９が図１７（ａ）に示す通信情報１７０１を管理している場合、端末１０ａａの決定部２１は、端末ＩＤ「０１ｄｂ」である端末１０ｄｂに対応する宛先を、宛先リストでフォーカスをあてる端末１０に決定する。
【０２４７】
また、端末１０ａａの表示制御部は、決定部２１によって決定された端末１０ｄｂにフォーカスをあてた宛先リストを、宛先選択画面に表示させる。このとき、端末１０ａａの宛先選択画面に表示される宛先リストの例を図１９（ａ）に示す。
【０２４８】
図１９（ａ）は、異常終了後、すなわち、利用者が意図せずに通信が終了した後に、端末１０ａａの宛先選択画面に表示される宛先リストの例を示している。図１９（ａ）の例では、決定部２１によって決定された端末１０ｄｂの端末ＩＤ「０１ｄｂ」に対応する選択ボタン１９１１にフォーカスをあてた宛先リスト１９１０が、端末１０ａａの表示部の宛先選択画面に表示されている。これにより、端末１０ａａの利用者は、テレビ会議に再接続するときに、発信操作（例えば、操作ボタン１０８の押下）を行うだけで、容易にテレビ会議を再開することができるようになる。
【０２４９】
また、端末１０ａａの管理部１９が図１７（ｂ）に示す通信情報１７０１を管理している場合、端末１０ａａの決定部２１は、優先度が高い、端末ＩＤ「０１ｄｂ」である端末１０ｄｂに対応する宛先を、宛先リストでフォーカスをあてる端末１０に決定する。この場合、管理部１９が図１７（ａ）に示す通信情報１７０１を管理している場合と同様に、図１９（ａ）に示すような宛先リストが、端末１０ａａの表示部の宛先選択画面に表示される。
【０２５０】
さらに、端末１０ａａの管理部１９が図１７（ｃ）に示す通信情報１７０３を管理している場合、端末１０ａａの決定部２１は、会議参加中である端末ＩＤ「０１ｄｃ」である端末１０ｄｃに対応する宛先を、宛先リストでフォーカスをあてる端末１０に決定する。
【０２５１】
また、端末１０ａａの表示制御部は、決定部２１によって決定された端末１０ｄｃにフォーカスをあてた宛先リストを、宛先選択画面に表示させる。このとき、端末１０ａａの宛先選択画面に表示される宛先リストの例を図１９（ｂ）に示す。
【０２５２】
図１９（ｂ）は、異常終了後、すなわち、利用者が意図せずに通信が終了した後に、端末１０ａａの宛先選択画面に表示される宛先リストの例を示している。図１９（ｂ）の例では、決定部２１によって決定された端末１０ｄｃの端末ＩＤ「０１ｄｃ」に対応する選択ボタン１９２１にフォーカスをあてた宛先リスト１９２０が、端末１０ａａの表示部の宛先選択画面に表示されている。これにより、端末１０ａａの利用者は、テレビ会議に再接続するときに、発信操作（例えば、操作ボタン１０８の押下）を行うだけで、容易にテレビ会議を再開することができるようになる。
【０２５３】
なお、伝送システム１では、端末１０ａａが、テレビ会議から異常退出（通信が異常終了）したとき、要求元端末である端末１０ｄｂがテレビ会議から退出している場合がある。
【０２５４】
従来の技術では、このような場合、端末１０ａａが表示する宛先リストにおいて、要求元端末である端末１０ｄｂにフォーカスをあてても、端末１０ａａは、元のテレビ会議に参加することができないという問題がある。さらに、要求元端末である端末１０ｄｂが、異なるテレビ会議に参加している場合、端末１０ａａが端末１０ｄｂに発信することにより、異なるテレビ会議に参加してしまうという問題がある。
【０２５５】
一方、本実施形態に係る端末１０ａａは、端末１０ａａと同じ通信セッションに参加している他の端末の情報を、通信情報の「会議参加中」情報で管理する。また、端末１０ａａは、テレビ会議から異常退出した場合、端末１０ａａと同じ通信セッションに参加している他の端末の中から、優先度が他の端末より高い１つの端末１０を、宛先リストでフォーカスをあてる端末１０に決定する。
【０２５６】
これにより、本実施形態１０ａａによれば、テレビ会議に参加中に、利用者の意図に反してテレビ会議から退出した場合に、宛先リストを用いて、退出したテレビ会議に再び参加することを容易にすることができる。
【０２５７】
以上、本発明の各実施形態によれば、他の端末との通信中に、利用者の意図に反して通信が終了した場合、宛先リストを用いて、終了した通信を再開させることを容易にする端末（情報処理端末）１０を提供することができる。
【０２５８】
なお、上記の端末（情報処理端末）１０、情報処理方法、及びプログラムは、上記の各実施形態そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。
【符号の説明】
【０２５９】
１        伝送システム（通信システム）
２        通信ネットワーク（ネットワーク）
１０      端末（情報処理端末、伝送端末）
１１      送受信部（受信部）
１７      表示制御部
１８      作成部
１９      管理部
２０      判断部
２１      決定部
１２０    ディスプレイ（表示部）
１００１、１７０１〜１７０３    通信情報（端末の情報）
【先行技術文献】
【特許文献】
【０２６０】
【特許文献１】特開２０１５−０２９２５２号公報
【特許文献２】特開２０１４−１４６２８１号公報
【図１】
2017211832.tif 000003
【図２】
2017211832.tif 000004
【図３】
2017211832.tif 000005
【図４】
2017211832.tif 000006
【図５】
2017211832.tif 000007
【図６】
2017211832.tif 000008
【図７】
2017211832.tif 000009
【図８】
2017211832.tif 000010
【図９】
2017211832.tif 000011
【図１０】
2017211832.tif 000012
【図１１】
2017211832.tif 000013
【図１２】
2017211832.tif 000014
【図１３】
2017211832.tif 000015
【図１４】
2017211832.tif 000016
【図１５】
2017211832.tif 000017
【図１６】
2017211832.tif 000018
【図１７】
2017211832.tif 000019
【図１８】
2017211832.tif 000020
【図１９】
2017211832.tif 000021